(57)【要約】【課題】  バケツやこれに近似した容器に付着している汚れをブラシローラにより洗浄する際に、効率よく洗浄液を供給する洗浄装置を提供すること。【解決手段】  洗浄装置１は、一円筒形状の周囲と頭頂部にブラシを有し、鉛直方向に配置された回転軸の軸中に頭頂部へ水を案内する通路を有する内周洗浄用のブラシローラ２０と、鉛直な回転軸を有する一対の外周洗浄用ブラシローラ３０、４０を有している。ブラシローラ３０、４０を相反する方向へ回転され、ブラシローラ２０の回転軸をブラシローラ３０、４０に対して近接離間可能に支持する腕部材２７とが設けられている。【選択図】図１
2011078929.tif 000002
【特許請求の範囲】
【請求項１】
円筒形状の周囲と頭頂部にブラシを有し、鉛直方向に配置された回転軸の軸中に前記頭頂部へ洗浄液を案内する通路を有する内周洗浄用のブラシローラと、
互いの間に前記内周洗浄用のブラシローラが並設するように配置され、鉛直な回転軸を有する一対の外周洗浄用ブラシローラと、
前記各回転軸を回転駆動するとともに、前記一対の外周洗浄用ブラシローラを相反する方向へ回転させる駆動系統と、
前記内周洗浄用のブラシローラの回転軸を前記一対の外周洗浄用ブラシローラに対して相対的に近接離間可能に支持する支持機構とを特徴とする洗浄装置。
【請求項２】
請求項１の洗浄装置において、操作者の入力により前記支持機構に対して前記内周洗浄用のブラシローラを前記外周洗浄用ブラシローラからさらに離間させる入力機構と、前記入力手段に操作者の入力があったときには、前記駆動装置による前記内周洗浄用のブラシローラの回転を停止することを特徴とする洗浄装置。
【請求項３】
請求項２の洗浄装置において、前記入力手段に操作者の入力があったときには、前記通路への洗浄液の供給停止するバルブを有することを特徴とする洗浄装置。
【請求項４】
請求項１の洗浄装置において、前記駆動系統は、前記外周洗浄用ブラシローラのうち、前記内周洗浄用のブラシローラに対して正転方向となる外周洗浄用ブラシローラの回転数を、他の一方の外周洗浄用ブラシローラの回転数よりも遅くしたことを特徴とする請求項２又は３記載のバケツ等の洗浄方法。
【発明の詳細な説明】
【技術分野】
【０００１】
本発明は、バケツ等の洗浄装置に関する。
【背景技術】
【０００２】
水性塗料を満たしたバケツは、使用毎にバケツに付着している塗料を洗い落とすことが必要である。
【０００３】
容器を洗浄する装置として、例えば特許文献1には、水平向きの一対の外周洗浄用ブラシローラの上側に内周洗浄用のブラシローラを並設し、バケツの外周面と内周面とを同時に洗浄するバケツ等の洗浄装置が開示されている。この洗浄装置を水性塗料用バケツに使用すると、バケツ内から洗い流された塗料が遠心力により跳ね飛ばされて直下の外周洗浄用ブラシローラを付着する。塗料は土砂とは異なり、回転ブラシに付着する。また、跳ね上げられた塗料は外周洗浄用ブラシローラ上に落下して、本来、塗料が付いていないバケツの外周を洗浄するブラシローラが塗料で汚染されてしまう。
【０００４】
また、特許文献２や特許文献３には、回転ブラシを垂直に立設した洗浄装置が開示されている。特許文献２に示す洗浄装置は、容器としての長方形状の箱の底部中心を固定して回転させて、箱の側壁の内側、外側を洗浄ブラシで挟みながら洗浄する。特許文献３に開示される洗浄装置は、被洗浄箱を上載する回転枠体と保持部材の間でに保持して、回転枠体或いは保持部材を回転して被洗浄箱を回転させて、側壁を回転ブラシで洗浄する。洗浄液は、ノズルから被洗浄箱の内側に向けて吹き上げている。
【先行技術文献】
【特許文献】
【０００５】
【特許文献１】特許第３８０３９２３号公報
【特許文献２】実開昭５２-１９１６８号公報
【特許文献３】実開昭６２-５６１８９号公報
【発明の概要】
【発明が解決しようとする課題】
【０００６】
ブラシローラを垂直に立設しておけば、容器内部の汚れは重力により落下して、容器外部を洗浄するブラシローラを汚染することが抑止される。しかしながら、容器を起立状態にしておくため、洗浄液を吹きかけても容易に重力で落下してしまう。特許文献２には、如何にして洗浄液を吹きかけるかは開示されていない。一方、特許文献３には、ノズルで噴出することが示されているが、回転ブラシの洗浄箇所に洗浄液が供給されてはいない。
【０００７】
本発明は、バケツやこれに近似した容器に付着している汚れをブラシローラにより洗浄する際に、効率よく洗浄液を供給する洗浄装置を提供することを目的とする。
【課題を解決するための手段】
【０００８】
上記課題を解決するため、本発明は、円筒形状の周囲と頭頂部にブラシを有し、鉛直方向に配置された回転軸の軸中に前記頭頂部へ洗浄液を案内する通路を有する内周洗浄用のブラシローラと、互いの間に前記内周洗浄用のブラシローラが並設するように配置され、鉛直な回転軸を有する一対の外周洗浄用ブラシローラと、前記各回転軸を回転駆動するとともに、前記一対の外周洗浄用ブラシローラを相反する方向へ回転させる駆動系統と、前記内周洗浄用のブラシローラの回転軸を前記一対の外周洗浄用ブラシローラに対して相対的に近接離間可能に支持する支持部と、前記通路に対して水を供給する供給手段とを有する。
【図面の簡単な説明】
【０００９】
【図１】洗浄装置の全体斜視図である。
【図２】洗浄装置の側面を示す一部断面図である。
【図３】洗浄装置を底部から見た図である。
【図４】内周用ブラシローラの構造を示す図である。
【図５】洗浄装置の動作を示す図である。
【発明を実施するための形態】
【００１０】
図１を用いて、本実施例の洗浄装置１を説明する。洗浄装置１は、水を洗浄液として水性塗料用バケツを洗浄する装置である。水受部２は直方体状の容器であり、底面２ａには排出ホース３へと繋がれる開口２ｂが設けられている。底面２ａの中央付近には円形の開口２ｃが設けられ、その縁を、リング状の堤２ｄが起立している。水受部２から下方に延設された脚部４は、その下端に転向自在輪５が装着されている。
【００１１】
扉６は、水受部２の上方空間を閉鎖する扉であって、蝶番１０により水受部２に対して持ち上げ状に開閉可能となっている。中央にビニール板等からなる透明な透視板７が固定されており、扉６が閉鎖状態のときに水受部２内を目視できるようになっている。扉６が閉鎖位置にあるときに、後述する回転ブラシ２０の直上に当たる位置に、固定ブラシ８が扉６に固定されている。
【００１２】
水受部２の内側には、バケツ等の被処理物ｗの内周面を擦りつつ回転する内周用のブラシローラ２０と、外周面を擦りつつ回転する二つの外周用のブラシローラ３０、４０とを有している。ブラシローラ２０、３０、４０は、夫々鉛直方向に向いた回転軸５２、５４、５６に取付けられている。
【００１３】
内周用のブラシローラ２０は、外周ブラシ２３のみならず頭頂部にも頭頂ブラシ２１を有しており、尾部にはキャップ２１が取付けられている。キャップ２２は、底面２ａのリング状の堤２ｄよりも大きな縁を有しており、堤２ｄに被さるものであるが、これについては後述する。外周用ブラシローラ３０、４０は外周にのみブラシ毛が植毛されている。内周用ブラシローラ２０は、外周用ブラシローラ３０、４０間の前側に位置しており、被処理物ｗは底を上にして内周用ブラシローラ２０に被せられ、内周用ブラシローラ２０と外周用ブラシローラ３０、４０に、その側面が挟まれる。また、内周用ブラシローラ２０のブラシ２０ａと、固定ブラシ８との間に、被処理物ｗの底が挟まれることにより、洗浄が行われる。尚、図面では、理解の容易化のために、水受部２の内における内周用ブラシローラ２０の位置を破線Ａで示し、内周用ブラシローラ２０を取り出して記述している。
【００１４】
回転軸５２は、円形の開口２ｃから水受部２の内側に延在するものであり、操作者がペダル９をイ方向に踏み込むことにより、ロ方向に平行移動する。回転軸５４、５６は、水受部２内の固定位置で回転する。
【００１５】
内周用ブラシローラ２０はそれぞれ外周面の直径の異なる複数のものが用意されるが、被処理物ｗ（円筒、底面正方形、長方形の直方体など）の大きさに対応させて、内周用ブラシローラ２０の外周面の直径が被処理物ｗの底面内に内包されるものが使用される。尚、図中、１１は開閉継ぎ手、１２は起動スイッチである。１３は給水用のホースである。また、７２は水受部２の背面をなす透明板である。
【００１６】
図２において、給水ホース１３は、電磁バルブ７３を介してロータリージョイント７４に接続している。ロータリージョイント７４は、回転軸５３に接続して水を供給する。給水ホース１３からは、さらに、分岐パイプ７０を介して外周用ブラシローラ３０、４０の背面に鉛直方向に伸びた散水パイプ７１に接続されている。散水パイプ７１は、長さ方向に外周用ブラシローラ３０、４０に向けた孔を多数設けたものであって、外周用ブラシローラ３０、４０に水を供給する。
【００１７】
外周用ブラシローラ３０、４０に対する内周用ブラシローラ２０の相対的な近接離間を操作者が入力する入力機構として、ペダル９、第１ロッド６４、第２ロッド６５および第３ロッド６６及びユニバーサルジョイント６７が設けられる。ペダル９を固定された第１ロッド６４は支持軸１６を中心として揺動可能であり、第１ロッド６４の揺動は支持軸１６の反対側に設けられた第２ロッド６５および第３ロッド６６へ伝達される。第３ロッド６６の先端には、ユニバーサルジョイント６７が設けられている。
【００１８】
外周用ブラシローラ３０、４０との外径間隔がブラシの根元に至る過程で可及的に狭くなるように、正面視において倒立台形状となっている。図２の破線ｂ、ｂは外周用ブラシローラ３０、４０の外周面を上側に延長した仮想線であり、両線の間隔Ｌは上にいくに従って広くなっている。このような外周形状とすることにより、内周用ブラシローラ２０の頭頂部２２が上記ブラシ３０、４０の頭頂側で可及的に接近するよう配設される。この結果、被処理物ｗが直方体状のバケツの場合に、内部の隅角部に貯まる汚れ対して集中的に掻きだす作用が行われる。
【００１９】
図３において、ユニバーサルジョイント６７は、腕部材２７に接続されている。腕部材２７は支持軸６０を中心に矢印リ方向に振動可能となっている。スプリング６８は、腕部材２７を図の位置に引き付けておくものである。腕部材２７とスプリング６８は、内周用ブラシローラ２０の回転軸５２を外周洗浄用ブラシローラ３０、４０に対して相対的に近接離間可能に支持する支持機構を構成するものである。
【００２０】
ユニバーサルジョイント６７は、腕部材２７の動き（矢印リ方向）と第３ロッド６６の動き（矢印チ方向）のずれを吸収するために用いられている。腕部材２７には、内周用ブラシローラ２０の回転軸５２が取付けられている。尚、図において、ロータリージョイント７４へ、水の接続する系統については、理解の容易化のために削除してある。
【００２１】
次に回転軸５２、５４、５６の駆動系統について説明する。
水受部２の下方に固定されたモータ５０の出力軸５１にプーリー５９を固定し、一方、外周用ブラシローラ３０、４０の回転軸５４、５６にもプーリー５５、５７を固定する。また、腕部材２７の上下向き支持軸６０にもプーリー５８が固定されており、プーリー５９、５８、５５、５７に無端状の伝達チェーン６０が巻き掛けられている。また、内周用ブラシローラ２０の回転軸５２に固定されたプーリー５３には、プーリー５８との間には別に無端状の伝動チェーン６２が巻き掛けてある。尚、プーリー５８は、２重のプーリーであり、夫々伝動チェーン６０、６２が巻きつけられている。プーリー５７は、プーリー５５よりも外径が大きなものとなっており、このため、回転軸５６は回転軸５４よりもゆっくり回るようになっている。また、回転軸５２の回転は、回転軸５４の回転よりも速くなるように設定されている。
【００２２】
モータ５０が矢印ハ方向へ回転することで、二つの回転軸５４（外周用ブラシローラ３０）、回転軸５６（外周用ブラシローラ４０）は夫々矢印ホ方向、矢印へ方向（ホ方向の逆転方向）、そして回転軸５２（内周用ブラシローラ２０）は外周用ブラシローラの一つ（図示例では外周用ブラシローラ４０）と同一の矢印ト方向へ回転駆動される。
【００２３】
ペダル９をイ方向に押し下げると内周用ブラシローラ２０は外周用ブラシローラ３０、４０に対し離反し、ペダル９を離すとスプリング６８により近接する。ペダル９の押下に連動するリミットスイッチ（図示せず）が設けられており、モータ５０の回転を停止させ、また、電磁バルブ７３を閉鎖させて内周用ブラシローラ２０の頭頂からの水の噴出を止める。尚、図中７２は、腕部材２７の摺動台である。
【００２４】
図４において、内周用ブラシローラ２０の断面を示す。内周用ブラシローラ２０はブラシ回転軸５２と、これに取り外し可能に固定される頭頂ブラシ２１と外周ブラシ２３とを有し、頭頂ブラシ２１と外周ブラシ２３はボルト２４を介して回転軸５２から抜き取り可能となされる。回転軸５２は、中空の軸であって内部に給水ホース１３から給水される水の通路２５が設けられている。ボルト２４も中空であって、通路２５と連通する通路２６を有している。これら通路２５、２６を通る水は、ボルト２４の頭頂から内周用ブラシローラ２０外に出る。
【００２５】
内周用ブラシローラ２０の尾部にはキャップ２２が設けられている。キャップ２２は、底面２ａに設けられた堤２ｄに被さるように配置されている。キャップ２２と堤２ｄにより、水受部２の底面２ａの上に落下した水が、回転軸５２に沿って底面２ａの下に落下しないようにするシールを構成する。このような構成となるのは、図１の矢印ロ方向で示したように、回転軸５２が平行に移動するから、これに対応するシール構造としたからである。
【００２６】
回転軸５２は、腕部材２７の軸受２８により支持されている。腕部材２７は、ペダル９（図１）を矢印イ方向で示したように押下されことに連動して、図４の紙面手前側に移動する。尚、５３は回転軸５２に固定されたプーリーであり、回転軸５２の下端に接続されるロータリージョイント７４（図２）は省略してある。
【００２７】
次に上記のように構成した実施例の使用例及び各部の作動について説明する。
給水ホース４０で水を供給する。水は散水パイプ７１から外周用ブラシローラ３０、４０に注がれる。起動スイッチ１２によりモータ５０が回転すると、これにより外周側ブラシローラ３０、４０及び内周側ブラシローラ２０を回転させる。このときに電磁バルブ７３が水を回転軸５２内に供給する。図５において、図５Ａ図がこの初期状態である。次に、扉６が開かれ、ペダル９が押し下げられると、電磁バルブ７３が閉鎖し、かつモータ５０の回転が停止される。内周用ブラシローラ２０は、外周側ブラシローラ３０、４０から離反した状態となる（図５Ｂ）。
【００２８】
被処理物ｗの天地を逆にして、底が内周用ブラシローラ２０の頭頂部に当たるとよう供給する。次に、ペダル９から足を離してこれを解放状態とする。これにより、内周用ブラシローラ２０はスプリング６８により外周側ブラシローラ３０、４０側に押し付けるものとなる（図５Ｃ）。そして、扉６を閉めることにより、被処理物ｗの内外周面及び被処理物ｗの底の表裏面が、ブラシローラ２０、３０、４０及び固定ブラシ８に押圧された状態となる。このときペダル９から足を離してこれを解放状態されているため、内周用ブラシローラ２０の頭頂部から水が注がれるとともに、ブラシローラ２０、３０、４０の回転が開始される（図５Ｄ）。
【００２９】
この状態の下で、二つの外周用ブラシローラ３０、４０は被処理物ｗの周壁に圧接したブラシ毛でその周壁の外面を擦る。これと同時に、ブラシ毛を介して被処理物ｗに自身の回転力を伝達する。さらに、内周用ブラシローラ２０がその周壁内面に圧接したブラシ毛でこの周壁内面を擦ると共に、その内底面に圧接したブラシ毛でこの内底面を擦りながら且つブラシ毛を介して被処理物ｗに自身の回転力を伝達する。この際、二つの外周用ブラシローラ３０、４０の回転方向を外向きの相反する逆方向とているので、外周用ブラシローラ４０がブレーキ作用を呈するように被処理物ｗに伝達される。しかしながらブレーキ作用を呈する外周用ブラシローラ４０の回転数は、外周用ブラシローラ３０より遅いので、ブレーキ作用よりも被処理物ｗを回転させる作用が勝ることから、被処理物ｗは自身が回転することになる。
【００３０】
この際、被処理物ｗが直方体である場合は、図５Ｅに示すように被処理物ｗの角部が外周用のブラシローラ３０、４０の隙間に入り込むようになり、図５Ｆに示すように被処理物ｗの辺部では内周用のブラシローラ２０がスプリング６８に抗して、外周用ブラシローラ３０、４０から離反した位置に移動する。図５Ｅと図５Ｆの状態を繰り返して、被処理物ｗは洗浄される。
【００３１】
一方、内周用のブラシローラ２０の頭頂部から吐出した水は、遠心力により頭頂部から内周用のブラシローラ２０の外周へ拡散し、重力により内周用のブラシローラ２０の周を伝わりながら落下する。このため、ブラシローラ２０の摩擦による被処理物ｗの汚れの剥離と、洗い流しが同時に行われることになる。特に、水性塗料用として使用された被処理物ｗは、底の角隅に対して塗料が集まり固化しつつある状態であるので、吐出した水が内周用のブラシローラ２０の頭頂部から、遠心力でブラシ毛を伝わって、底の角隅に到達し、掻き落とすとともに洗い出しを行うことができる。
【００３２】
また、洗い落とされた汚水は、重力により底面２ａに落下する。遠心力により振り飛ばされるものもあるが、これによる外周用ブラシローラ３０、４０への汚染は軽微である。
【００３３】
被処理物ｗが数回転した後（或いは装置に装着して所定時間が経過した後）再びペダル９を踏み降ろし、内周用ブラシローラ２０を前進させる。この後、被処理物ｗを持って引き出して、１つの被処理物ｗの洗浄処理が終了する。
【００３４】
上記した本実施によれば、被処理物に付着した汚れを掻きだして直ちに洗い流すことができる。被処理物が円筒のバケツに限らず、直方体など凡そ直角な隅角部を備えたものであっても、内周用ブラシローラが前後に揺動しながら被処理物を回転させ、かつ内周用ブラシローラの掻き落とし作用が行われる個所に水を供給ことができる点で著効を奏する。また、汚染された水は、重力により落下するため、外周用ブラシローラをさらに汚染することが抑制させる。
【００３５】
前記実施例においては、内周用ブラシローラ２０を外周用のブラシローラ３０、４０から近接離間させたが、外周用のブラシローラ３０、４０側の方を動かしても良い。
【符号の説明】
【００３６】
ｗ  被処理物
８  固定ブラシ
２０  内周用ブラシローラ
３０  外周用ブラシローラ
４０  外周用ブラシローラ
【図１】
2011078929.tif 000003
【図２】
2011078929.tif 000004
【図３】
2011078929.tif 000005
【図４】
2011078929.tif 000006
【図５】
2011078929.tif 000007